(57)【要約】【課題】ローミング設定を行うことなく、特定のアプリケーションがインストールされていない通信端末との間においても、キャリアをまたいで通話を行うことを目的とする。【解決手段】複数のキャリア７それぞれにおいて複数の通信端末８のキャリア用ＩＤを取得し、各キャリア７と接続されるサーバー２内に各キャリア７のキャリア用ＩＤと端末用ＩＤとを関連付けたリスト５を保存し、通信端末１にアプリケーション３をインストールし、アプリケーションが通信端末１の端末用ＩＤとリスト５内のキャリア用ＩＤを関連付けることにより、アプリケーション３をインストールした通信端末１は、ローミング設定を行うことなく、アプリケーションをインストールされていない通信端末１９との通話を行うことができる。【選択図】図１
2017130857.tif 000002
【特許請求の範囲】
【請求項１】
１または複数のキャリアごとの複数のキャリア用ＩＤを記載したリストをサーバー内に作成する工程と、
前記リストに通信端末の端末用ＩＤと前記キャリア用ＩＤとを関連付ける工程と、
前記通信端末に入力された入力音声を前記通信端末で入力音声データに変換する工程と、
前記通信端末から前記入力音声データを１つの前記キャリアを送信先に指定して前記サーバーに送信する工程と、
前記キャリアに接続される対象通信端末から前記入力音声を出力する工程と、
前記対象通信端末で入力された出力音声を出力音声データに変換する工程と、
変換された前記出力音声データを前記出力音声が入力された前記キャリア用ＩＤと前記リストで関連付けられた前記通信端末に送信する工程と、
送信された前記出力音声データを前記出力音声に前記通信端末で変換して出力する工程と
を有し、前記通信端末は第１のアプリケーションを備え、前記サーバーは第２のアプリケーションを備え、前記第１のアプリケーションの動作により第２のアプリケーションを制御して前記リストを作成し、前記通信端末と前記対象通信端末との間の前記データの送受信は前記第１のアプリケーションの動作により前記リストに応じて前記サーバーでインターネットを介して行うことを特徴とする通信方法。
【請求項２】
関連付けられた前記通信端末と前記キャリア用ＩＤとの間でデータの送受信をさらに行うことができ、前記第１のアプリケーションは前記データを実行可能である
ことを特徴とする請求項１記載の通信方法。
【請求項３】
第１のキャリアに接続されて第１のコンピュータを備える１または複数の第１の通信端末とインターネットに接続されて第２のコンピュータを備えるサーバーとに分かれて搭載され、１または複数の第２のキャリアのいずれかに接続される第２の通信端末を介して前記第２のキャリアに接続される第３の通信端末と前記第１の通信端末との通話を確立する通話プログラムであって、
それぞれの前記第１のコンピュータに、
使用可能な前記第２の通信端末のキャリア用ＩＤを選択させる手順と、
選択された前記キャリア用ＩＤを前記サーバーに送信させる手順と、
前記第１の通信端末に入力された入力音声を入力音声データに変換させる手順と、
前記リストにて関連付けられた前記キャリア用ＩＤを付して前記入力音声データを前記サーバーに送信させる手順と、
前記サーバーから受信した前記出力音声データを前記出力音声に変換する手順と、
前記出力音声を出力させる手段と
を実行させ、
前記第２のコンピュータに、
前記キャリア用ＩＤを送信した前記第１の通信端末の端末用ＩＤと受信した前記キャリア用ＩＤとを関連付けて前記サーバーに保存されるリストに記載させる手順と、
前記第１の通信端末から受信した前記入力音声データを前記入力音声に変換させる手段と、
変換した前記入力音声を指定された前記端末用ＩＤに対応する前記第２の通信端末を介して前記第３の通信端末に送信させる手順と、
前記第２の通信端末を介して前記第３の通信端末から受信した出力音声を出力音声データに変換させる手順と、
前記出力音声を送信した前記第２の通信端末と前記リストにて関連付けられた前記第１の通信端末に前記出力音声データを送信させる手順と
を実行させることを特徴とする通信プログラム。
【請求項４】
前記第１のコンピュータに前記第１の通信端末から前記サーバーにデータを送信させる手順と、
前記第２のコンピュータに前記サーバーから前記第１の通信端末にデータを送信させる手順と
をさらに有することを特徴とする請求項３記載の通信プログラム。
【請求項５】
第１のキャリアに接続されに接続される第１の通信端末と、
インターネットを介して前記第１の通信端末と接続されるサーバーと、
前記第１のキャリアと異なる第２のキャリアに接続される第２の通信端末と、
前記第２のキャリアに接続される第３の通信端末と、
前記サーバーとインターネットを介して接続されるゲートウェイと、
前記ゲートウェイおよび前記第２の通信端末と接続されるスイッチと、
前記サーバーに格納されて前記第１の通信端末と前記第２の通信端末とを関連付けるリストと、
前記サーバーに設けられて前記リストの制御と前記第１の通信端末および前記ゲートウェイとの音声データの送受信を制御する第１の制御装置と、
前記第１の通信端末のみに設けられて音声の入出力と前記サーバーとの前記音声データの送受信を制御する第２の制御装置と
を有し、前記リストで前記第１の通信端末と関連付けられた前記第２の通信端末を介して、前記第１の通信端末と前記第３の通信端末との通話を行うことを特徴とする通信装置。
【発明の詳細な説明】
【技術分野】
【０００１】
任意のキャリア（以下、ＰＳＴＮと称す）の通信端末と通話や通信を行う通信方法，通信プログラムおよび通信装置に関する。
【背景技術】
【０００２】
携帯電話やスマートフォン、固定電話等の通信端末は、１つのＰＳＴＮとの接続が確立されており、有線または無線を介して同一のＰＳＴＮと接続された通信端末同士で通話を行うことができる。各ＰＳＴＮは１つのキャリアで管理されており、各通信端末はキャリア毎の規格に応じて設定されている。
【０００３】
キャリア間での契約に基づいて、異なるキャリア間での通話が可能な場合がある。この場合、１つのキャリア内の通信端末において、他のキャリアと接続するローミング設定を行う。ローミング設定では、他のキャリア毎の規格に応じて設定する。このようなローミング設定を行うことにより、１つの通信端末で複数のキャリア内の通信端末との通話を行うことができる。
【先行技術文献】
【特許文献】
【０００４】
【特許文献１】特開２０１１−１３５４２８号公報
【特許文献２】特開２００８−５４３１８号公報
【発明の概要】
【発明が解決しようとする課題】
【０００５】
しかしながら、キャリア間がローミングに対応していない場合、ローミングを行うことができず、そのキャリアに対応するキャリア内の通信端末間の通話を行うことができないという問題点があった。また、ローミングは、通信端末がローミングに対応した機種でないと行うことができないという問題点があった。また、ローミングに対応した機種であっても、ローミング設定できるキャリアの数に制限があることが一般的である。さらに、通話機器にアプリケーションをインストールし、ローミングを行うことなくアプリケーションを介して通話を行うことができる場合もあるが、通話を行う複数の通信端末それぞれにアプリケーションをインストールする必要があり、アプリケーションをインストールしていない通信端末との通話は行うことができない等問題点があった。
【０００６】
本発明は、ローミング設定を行うことなく、特定のアプリケーションがインストールされていない通信端末との間においても、キャリアをまたいで通話を行うことを目的とする。
【課題を解決するための手段】
【０００７】
上記目的を達成するために、本発明の通信方法は、１または複数のキャリアごとの複数のキャリア用ＩＤを記載したリストをサーバー内に作成する工程と、前記リストに通信端末の端末用ＩＤと前記キャリア用ＩＤとを関連付ける工程と、前記通信端末に入力された入力音声を前記通信端末で入力音声データに変換する工程と、前記通信端末から前記入力音声データを１つの前記キャリアを送信先に指定して前記サーバーに送信する工程と、前記キャリアに接続される対象通信端末から前記入力音声を出力する工程と、前記対象通信端末で入力された出力音声を出力音声データに変換する工程と、変換された前記出力音声データを前記出力音声が入力された前記キャリア用ＩＤと前記リストで関連付けられた前記通信端末に送信する工程と、送信された前記出力音声データを前記出力音声に前記通信端末で変換して出力する工程とを有し、前記通信端末は第１のアプリケーションを備え、前記サーバーは第２のアプリケーションを備え、前記第１のアプリケーションの動作により第２のアプリケーションを制御して前記リストを作成し、前記通信端末と前記対象通信端末との間の前記データの送受信は前記第１のアプリケーションの動作により前記リストに応じて前記サーバーでインターネットを介して行うことを特徴とする。
【０００８】
また、本発明の通信プログラムは、第１のキャリアに接続されて第１のコンピュータを備える１または複数の第１の通信端末とインターネットに接続されて第２のコンピュータを備えるサーバーとに分かれて搭載され、１または複数の第２のキャリアのいずれかに接続される第２の通信端末を介して前記第２のキャリアに接続される第３の通信端末と前記第１の通信端末との通話を確立する通話プログラムであって、それぞれの前記第１のコンピュータに、使用可能な前記第２の通信端末のキャリア用ＩＤを選択させる手順と、選択された前記キャリア用ＩＤを前記サーバーに送信させる手順と、前記第１の通信端末に入力された入力音声を入力音声データに変換させる手順と、前記リストにて関連付けられた前記キャリア用ＩＤを付して前記入力音声データを前記サーバーに送信させる手順と、前記サーバーから受信した前記出力音声データを前記出力音声に変換する手順と、前記出力音声を出力させる手段とを実行させ、前記第２のコンピュータに、前記キャリア用ＩＤを送信した前記第１の通信端末の端末用ＩＤと受信した前記キャリア用ＩＤとを関連付けて前記サーバーに保存されるリストに記載させる手順と、前記第１の通信端末から受信した前記入力音声データを前記入力音声に変換させる手段と、変換した前記入力音声を指定された前記端末用ＩＤに対応する前記第２の通信端末を介して前記第３の通信端末に送信させる手順と、前記第２の通信端末を介して前記第３の通信端末から受信した出力音声を出力音声データに変換させる手順と、前記出力音声を送信した前記第２の通信端末と前記リストにて関連付けられた前記第１の通信端末に前記出力音声データを送信させる手順とを実行させることを特徴とする通信プログラム。
【０００９】
また、本発明の通信装置は、第１のキャリアに接続されに接続される第１の通信端末と、インターネットを介して前記第１の通信端末と接続されるサーバーと、前記第１のキャリアと異なる第２のキャリアに接続される第２の通信端末と、前記第２のキャリアに接続される第３の通信端末と、前記サーバーとインターネットを介して接続されるゲートウェイと、前記ゲートウェイおよび前記第２の通信端末と接続されるスイッチと、前記サーバーに格納されて前記第１の通信端末と前記第２の通信端末とを関連付けるリストと、前記サーバーに設けられて前記リストの制御と前記第１の通信端末および前記ゲートウェイとの音声データの送受信を制御する第１の制御装置と、前記第１の通信端末のみに設けられて音声の入出力と前記サーバーとの前記音声データの送受信を制御する第２の制御装置とを有し、前記リストで前記第１の通信端末と関連付けられた前記第２の通信端末を介して、前記第１の通信端末と前記第３の通信端末との通話を行うことを特徴とする。
【発明の効果】
【００１０】
以上のように、複数のキャリアそれぞれにおいて複数の通信端末のキャリア用ＩＤを取得し、各キャリアと接続されるサーバー内に各キャリアのキャリア用ＩＤと端末用ＩＤとを関連付けたリストを保存し、通信端末にアプリケーションをインストールし、アプリケーションが通信端末の端末用ＩＤとリスト内のキャリア用ＩＤを関連付けることにより、アプリケーションをインストールした通信端末は、ローミング設定を行うことなく、アプリケーションをインストールされていない通信端末との通話を行うことができる。
【図面の簡単な説明】
【００１１】
【図１】本発明に係る通信の構成例を説明する図
【図２】本発明に係る通信の工程例を説明するフロー図
【図３】通信端末間のデータの送受信の概略を例示する図
【図４】アプリケーションがインストールされる通信端末の構成を例示する概略図
【図５】サーバーの構成を例示する概略図
【図６】サーバーに格納されるリストを例示する図
【図７】通話装置と通話装置で通話されるキャリアとを関連付けるフローの例を説明する図
【発明を実施するための形態】
【００１２】
携帯電話や固定電話，ＩＰ電話等の通信端末はそれぞれ１つの公衆交換電話網であるＰＳＴＮと接続される。また、それぞれの通信端末は固有のＩＣＣＩＰや電話番号等の情報（以下、端末用ＩＤと称す）ＩＤを備え、電話番号は通話に用いられる。各ＰＳＴＮはそれぞれ個別のキャリアとして運用されており、通信端末はキャリアの定める規格で通信を行うことができる。キャリアと通信端末は、有線または無線で接続され、様々な態様で通信可能に接続される。同一のキャリアに接続される通信端末は、番号により互いを識別して相互に通話を行うことができる。
【００１３】
以下、本発明に係る通信システムの構成の概略について図１を用いて説明する。
図１は本発明に係る通信の構成例を説明する図、図２は本発明に係る通信の工程例を説明するフロー図、図３は通信端末間のデータの送受信の概略を例示する図である。
【００１４】
通信端末１は１つのキャリア６に接続され、第１のアプリケーション３を備える。サーバー２はインターネット接続できる環境内に設置され、インターネットを介して通信端末１と通信が可能な構成である。サーバー２は第２のアプリケーション４とリスト５を備える。サーバー２は通信端末１との間でインターネットを介して音声データの送受信を行う。キャリア６と異なる１または複数のキャリア７それぞれに１または複数の通信端末８が接続される。通信端末８は通信端末１と通信を行う通信端末の候補としてあらかじめキャリアと契約し、取得しているものである。通信端末８は接続されるキャリア７内で他の通信端末と音声またはキャリア７の規格に準拠した音声情報を送受信して通話が可能である。あらかじめ取得した通信端末８はスイッチ９に接続される。スイッチ９は通信端末８と音声情報の送受信を行い、通信端末８はスイッチ９を介してキャリア７外と情報の送受信を行うことができる。ゲートウェイ１０はスイッチ９に接続され、インターネットを介してサーバー２にも接続される。ゲートウェイ１０は通信端末８から受信した音声情報を音声データに変換してサーバー２に送信し、サーバー２から受信した音声データを音声情報に変換してスイッチ９に送信する。
【００１５】
このような構成において、各キャリア７にて使用可能な通信端末８のＩＰアドレスやアカウント，電話番号等の情報（以下、キャリア用ＩＤと称す）をあらかじめ取得しておく。つまり、種々のキャリア７での通話が可能なように、それぞれのキャリア７においてキャリアと複数の契約を行い、通信端末８のキャリア用ＩＤをキャリア７毎に複数取得しておく。通信端末１で通話を予定するキャリア７を１または複数選択し、第１のアプリケーション３を動作させて、通話を予定するキャリア７で使用可能な通信端末８を選択する。第１のアプリケーション３を介して第２のアプリケーション４を動作させて、通信端末１の端末用ＩＤと、通話を予定するキャリア７のキャリア用ＩＤとを関連づけてリスト５に記載する（図２のステップ１）。この状態で、自己が接続されるキャリア６以外のキャリア７に接続される通信端末１９と通話をする場合は、通信端末１は、リスト５を参照して関連付けられた通信端末８を介して通信端末１９と通話を行う。通信は、通信端末１から通信端末１９に音声を発信し、通信端末１が通信端末１９から音声を受信して行う。
【００１６】
通信端末１から通信端末１９に発信する場合は、まず、通信端末１に入力された音声２０を音声情報とし、通信端末１は第１のアプリケーション３の制御により音声情報をインターネットで送信可能な音声データ２１に変換する。音声データ２１は通話を希望する通信端末１９が接続されるキャリア７を判別する情報が含まれる。（図２のステップ２）。次に、通信端末１は第１のアプリケーション３の制御によりインターネットを介して音声データ２１をサーバー２に送信する（図２のステップ３）。音声データ２１を受信したサーバー２は、音声データ２１から通話を希望する通信端末１９が接続されるキャリア７を識別し、リスト５を参照して、通信端末１および識別したキャリア７と関連付けられる通信端末８を識別する。そして、サーバー２は、識別したキャリア７に対応するゲートウェイ１０に、識別した通信端末８および通信端末１９の情報を付与した音声データ２１を送信する（図２のステップ４）。次に、音声データ２１を受信したゲートウェイ１０は、音声データ２１を音声情報２２に変換する。音声情報２２は通信端末１９および識別した通信端末８の情報が付与される（図２のステップ５）。次に、ゲートウェイ１０は音声情報２２をスイッチ９に送信する。スイッチ９は音声情報２２から通信端末８と通信端末１９を特定し、音声情報２２を音声２３に変換し、通信端末８に音声２３を送信する。通信端末８は通信端末１９を特定し、通信端末１９との間で通信を確立し、通信端末１９に音声２３を送信して通信端末１９に音声２３を出力させる（図２のステップ６）。
【００１７】
通信端末１が通信端末１９から音声を受信する場合は、まず、通信端末１９は通信端末８との通話を確立し、音声２４が入力され、音声２４を通信端末８に送信する。通信端末８は受信した音声２４をスイッチ９に送信する。スイッチ９は受信した音声２４を音声情報２５に変換する。音声情報２５は送信端末８を特定する情報が含む。スイッチ９は受信した音声情報２５をゲートウェイ１０に送信する。ゲートウェイ１０は受信した音声情報２５を音声データ２６に変換する。音声データ２６は送信端末８を特定する情報が含む（図２のステップ７）。次にゲートウェイ１０はインターネットを介して音声データ２６をサーバー２に送信する（図２のステップ８）。次に、サーバー２はリストを参照し、送信端末８を特定する情報から送信端末８に関連付けられた通信端末１を特定する（図２のステップ９）。次に、サーバー２は、特定された通信端末１にインターネットを介して音声データ２６を送信する（図２のステップ１０）。次に、通信端末１は第１のアプリケーション３の制御により音声データ２６を音声に変換し、音声を出力する（図２のステップ１０）。
【００１８】
このように、異なるキャリア７とこのキャリア７の通信端末８と通信端末１とを関連付け、インターネットを介してキャリア６とキャリア７との間で音声データを送受信することにより、第１のアプリケーション３がインストールされた通話端末１は、他のキャリア７とローミング設定を行うことなく、特別なアプリケーションがインストールされていないキャリア７の通信端末１９と通信端末８を介して通話を行うことができる。
【００１９】
なお、音声での通話に限らず、通話に加えまたは通話に代えて文字データやメール，画像データの送受信を通信端末１は通信端末１９との間で行うこともできる。また、上記例では通信端末８を設けたが、キャリアとの契約により通信端末８に対応するキャリア用ＩＤを取得すれば、スイッチ９に複数のキャリア用ＩＤに対応する通話機能を設けることにより、スイッチ９に通信端末８の動作をさせることができ、通信端末８本体を別途設けない構成とすることもできる。
【００２０】
以下図１〜図６を用いて詳細に説明する。
図４はアプリケーションがインストールされる通信端末の構成を例示する概略図、図５はサーバーの構成を例示する概略図、図６はサーバーに格納されるリストを例示する図である。
【００２１】
通信端末１は、図１，図４に示すように、キャリア６に接続され、マイク１７とスピーカ１８とを備えて、キャリア６内で他の通信端末１と通話を行うことができる。さらに、通信端末１はＣＰＵ１１と、第１のアプリケーション３が格納される記憶装置１２と、音声情報と音声データとを相互に変換するデータ変換器１５とを備える。ＣＰＵ１１はコンピュータの例であり、ＭＰＵやその他の機能を有する制御装置であっても良い。記憶装置１２はＣＰＵ１１が読取り可能であり、ＣＰＵ１１は第１のアプリケーション３を読み出して第１のアプリケーション３を動作させる。データ変換器１５はマイク１７から入力された音声をＶｏＩＰ等に準拠する音声データに変換してインターネットを介してサーバー２に送信すると共に、サーバー２から送信された音声データを音声に変換し、スピーカ１８から音声を出力させる。サーバー２との送受信は別途通信装置を介して行っても良い。言い換えると、ＣＰＵ１１と第１のアプリケーション３を格納する記憶装置１２を含む制御装置は、音声の入出力と、サーバー２とのデータの送受信を制御する。
【００２２】
サーバー２は、図１，図５に示すように、通信端末１とゲートウェイ１０とにインターネットを介して接続され、ＣＰＵ１３と、第２のアプリケーション４およびリスト５が格納される記憶装置１４と、通信端末１およびゲートウェイ１０に対してデータの送受信を行うデータ送受信機１６とを備える。ＣＰＵ１３はコンピュータの例であり、ＭＰＵやその他の機能を有する制御装置であっても良い。記憶装置１４はＣＰＵ１３が読取り可能であり、ＣＰＵ１３は第２のアプリケーション４を読み出して第２のアプリケーション４を動作させる。言い換えると、ＣＰＵ１３と第２のアプリケーション４を格納する記憶装置１４を含む制御装置は、リスト５の作成と、通信端末１およびゲートウェイ１０とのデータの送受信を制御する。
【００２３】
リスト５は、図１，図６に示すように、通信端末１と、通信端末１が通話可能となるキャリア７として選択したキャリアを判別するキャリア用ＩＤ等の情報と、キャリア７で選択した通話装置８の端末用ＩＤ等の情報とを関連付ける。ここで、５つのキャリア７は、それぞれキャリアを判別する情報が７Ａ，７Ｂ，７Ｃ，７Ｄ，７Ｅであるとする。端末用ＩＤがＸＸＸＸである通信端末１は、７Ａ，７Ｂ，７Ｃ，７Ｄ，７Ｅの５つのキャリア７と通話することが可能なように設定し、７Ａ，７Ｂ，７Ｃ，７Ｄ，７Ｅの５つのキャリア７で選択された通信端末８のキャリア用ＩＤとして電話番号がそれぞれ０９０−ＡＡＡＡ−ＡＡＡＡ，０８０−ＢＢＢＢ−ＢＢＢＢ，０９０−ＣＣＣＣ−ＣＣＣＣ，０７０−ＤＤＤＤ−ＤＤＤＤ，０９０−ＥＥＥＥ−ＥＥＥＥであったとすると、図４のようにこれらを関連付ける。これにより、端末用ＩＤがＸＸＸＸである通信端末１は、７Ａに対応するキャリア７とは０９０−ＡＡＡＡ−ＡＡＡＡに対応する通信端末８を介して通信端末１９と通話ができ、７Ｂに対応するキャリア７とは０８０−ＢＢＢＢ−ＢＢＢＢに対応する通信端末８を介して通信端末１９と通話ができ、７Ｃに対応するキャリア７とは０９０−ＣＣＣＣ−ＣＣＣＣに対応する通信端末８を介して通信端末１９と通話ができ、７Ｄに対応するキャリア７とは０７０−ＤＤＤＤ−ＤＤＤＤに対応する通信端末８を介して通信端末１９と通話ができ、７Ｅに対応するキャリア７とは０９０−ＥＥＥＥ−ＥＥＥＥに対応する通信端末８を介して通信端末１９と通話ができる。なお、リスト５の記述は、図６のような態様に限らず、通話端末１の情報と選択された通話端末８に対応する情報とが相互にひも付けられていれば良い。
【００２４】
なお、端末用ＩＤとキャリア用ＩＤとの関連付けが記載されるリストは、各通信端末１の記憶装置１２に記憶される構成であっても良い。この場合、アプリケーション３の動作によりリストが作成され、アプリケーション３がリストを参照して送信先の情報を音声データに付与する。この場合、リスト５は選択可能な通信端末８の情報のみが記載され、アプリケーション３はこの情報から通信端末８を選択する。
【００２５】
第１のアプリケーション３および第２のアプリケーション４の動作を、図１〜図７を用いて詳細に説明する。
図７は通話装置と通話装置で通話されるキャリアとを関連付けるフローの例を説明する図である。
【００２６】
あらかじめ、１または複数のキャリア７それぞれにおいて、キャリアと１または複数の契約を行い１または複数の通信端末８に対応する電話番号等のキャリア用ＩＤを用意する。用意された通信端末８のキャリア用ＩＤは、接続されるキャリア７と関連付けられてリスト５に記述される。キャリア７はキャリア６と異なる国内のキャリアでも良いし、海外のキャリアでも良い。
【００２７】
この状態で、通信端末１を操作して、通信端末１で通話することを希望するキャリア７が選択され、そのキャリア７に対応して用意された通信端末８のキャリア用ＩＤが１つ選択される。具体的には、通信端末１でＣＰＵ１１の制御により第１のアプリケーション３が起動され（図７のステップ１）、まず、第１のアプリケーション３は通話が可能なキャリア７のリストを表示する。このリストは、第１のアプリケーション３が第２のアプリケーション４と通信し、リスト５から情報を取得する。通信端末１の使用者はリストから通話を希望するキャリア７を選択する（図７のステップ２）。次に、第１のアプリケーション３は、選択されたキャリア７で使用できる通信端末８のキャリア用ＩＤのリストを表示する。使用できる通信端末８のキャリア用ＩＤは、あらかじめ契約により取得したキャリア用ＩＤのうち、まだ選択されていないキャリア用ＩＤである。そして通信端末１の使用者は、リストから１つのキャリア用ＩＤを選択する。選択されたキャリア用ＩＤはステップ２で表示されるリストから削除される（図７のステップ３）。次に、第１のアプリケーション３は選択した通信端末８のキャリア用ＩＤを、通信端末のＩＣＣＩＰ等の端末用ＩＤと共に、インターネットを介してサーバー２に送信する（図７のステップ４）。これらの情報を受信したサーバー２のＣＰＵ１３は、第２のアプリケーション４を起動する（図７のステップ５）。第２のアプリケーション４は、受信した情報を元に、通信端末１と関連付けられるキャリア７の通信端末８の端末用ＩＤをリスト５に追加し、あるいは新規に作成する。この際、通信端末８の端末用ＩＤに、対応するキャリア７を特定する情報をリスト５に加えても良い（図７のステップ５）。
【００２８】
通信端末１が通話できるキャリア７を選択後、通信端末１はＣＰＵ１１の制御により第１のアプリケーション３を起動して、使用者の操作により異なるキャリア７の通信端末１９との通話を行う。
【００２９】
このように、異なるキャリア７とこのキャリア７の通信端末８と通信端末１とを関連付け、インターネットを介してキャリア６とキャリア７との間で音声データを送受信することにより、第１のアプリケーション３がインストールされた通話端末１は、他のキャリア７とローミング設定を行うことなく、特別なアプリケーションがインストールされていないキャリア７の通信端末１９と、通信端末８を介して通話を行うことができる。この際、複数のキャリア７と関連付けることにより、１つの通話端末１で、複数のキャリア７と通話を行うことができる。例えば、複数のキャリア７がそれぞれ異なる国のキャリアである場合、国際ローミングを行うことなく、１つの通話端末１で複数の国の通信端末１９と通話を行うことができる。また、リスト５でキャリア６やキャリア７の複数の通信端末と関連付けることにより、第１のアプリケーション３の機能を追加することにより、複数の通信端末間で同時に通話する電話会議の機能を実現することもできる。
【符号の説明】
【００３０】
１    通信端末
２    サーバー
３    第１のアプリケーション
４    第２のアプリケーション
５    リスト
６    キャリア
７    キャリア
８    通信端末
９    スイッチ
１０    ゲートウェイ
１１    ＣＰＵ
１２    記憶装置
１３    ＣＰＵ
１４    記憶装置
１５    データ変換器
１６    データ送受信機
１７    マイク
１８    スピーカ
１９    通信端末
２０    音声
２１    音声データ
２２    音声情報
２３    音声
２４    音声
２５    音声情報
２６    音声データ
２７    音声
【図１】
2017130857.tif 000003
【図２】
2017130857.tif 000004
【図３】
2017130857.tif 000005
【図４】
2017130857.tif 000006
【図５】
2017130857.tif 000007
【図６】
2017130857.tif 000008
【図７】
2017130857.tif 000009